(57)【要約】【課題】  連結機能を備えた衝立パネルを構成する縦桟の提供。【解決手段】  縦桟６は概略円形断面の長尺材であり、外側面にはパネル板３の側端部が嵌る嵌合溝９を全長に亘って形成し、上記嵌合溝９の反対側には衝立パネル１を連結する為の連結部材１３の嵌合部１５が嵌る連結溝１６を全長に亘って形成し、そして、上端には上キャップ１１を取付け、下端には下キャップ１２を取付けると共にキャスター７を取着している。【選択図】    図３
2011106223.tif 000002
【特許請求の範囲】
【請求項１】
両縦桟、上桟、及び下桟にて枠組みした枠体にパネル板を嵌めた衝立パネルを構成する上記縦桟において、該縦桟は概略円形断面の長尺材であり、外側面には上記パネル板の側端部が嵌る嵌合溝を全長に亘って形成し、該嵌合溝の反対側には衝立パネルを連結する為の連結部材の嵌合部が嵌る連結溝を全長に亘って形成し、そして、上端には上キャップを取付け、下端には下キャップを取付けると共にキャスターを取着したことを特徴とする衝立パネルの縦桟。
【請求項２】
上記嵌合溝の底には枠組みする為のＬ形金具の縦片をネジ止めするネジ頭が嵌る溝を全長に亘って形成した請求項１記載の衝立パネルの縦桟。
【発明の詳細な説明】
【技術分野】
【０００１】
本発明は連結機能を備えた衝立パネルを構成する縦桟に関するものである。
【背景技術】
【０００２】
一般的な間仕切り装置は複数枚のパネルを連結して構成し、その為に各パネルの間には垂直に起立するスタッドが介在し、このスタッドに所定の向きにパネルが連結される。図７は従来の間仕切り装置の横断面を表しているが、同図に示すように（ａ）の間仕切り装置は２枚のパネル（イ）、（イ）がスタッド（ロ）を介して直線状に連結している。この間仕切り装置では建物の壁面（ハ）に面してスタッド（ロ）が起立し、又先端にもスタッド（ロ）が配置されている。
【０００３】
そして同図の（ｂ）に示す間仕切り装置では、パネル（イ）、（イ）・・・がＬ形に連結し、又別の位置ではＴ形に連結した構造としている。その為に、上記スタッド（ロ）に竪枠（ニ）を連結し、この竪枠（ニ）に垂直方向に向きを変えたパネル（イ）を連結した構造としている。このように、各パネル（イ）、（イ）は直線状に連結されたり、Ｌ形やＴ形に連結される。しかし、同図に示す構造ではその他の角度でパネル（イ）、（イ）を連結することは出来ない。そして、スタッド（ロ）や竪枠（ニ）を介在した連結構造ではパネル（イ）の向きを自由に変更することは不可能である。
【０００４】
実開昭５１−９６９３８号に係る「移動黒板」は、３枚の黒板Ａ，Ｂ，Ｃを連結して構成し、これら３枚の黒板Ａ，Ｂ，Ｃは丁番にて連結した構造としている。従って、各黒板Ａ，Ｂ，Ｃはその向きを自由に変えることが出来る。そして、黒板Ａと黒板Ｂ、及び黒板Ｂと黒板Ｃの上端には折畳み止め具３，４が取着されている。
【０００５】
このように、各黒板Ａ，Ｂ，Ｃは丁番を介して連結することが出来、該黒板Ａ，Ｂ，Ｃの代わりにパネル（イ）、（イ）・・・を連結するならば間仕切り装置を構成することが出来、パネル（イ）、（イ）・・・の向きはＬ形に限定されることはなく、その向きを自由に定めることが出来る。しかし、丁番はパネル（イ）、（イ）の端面にネジ止めされる為に、パネル（イ）、（イ）・・・が旋回して折畳まれる向きは一定の方向となり、反対方向への旋回は出来ない。従って、丁番を介して連結される各パネル（イ）、（イ）・・・の向きが完全に自由とはならない。
【０００６】
又、該丁番を用いた連結構造の場合、間仕切り装置としての外観が好ましくなく、連結強度に関しても問題がある。すなわち、互いに連結されるパネル（イ）、（イ）の少なくとも上下端部に夫々丁番が取着されるだけであり、大きなパネル（イ）、（イ）ともなれば２〜３枚の丁番では連結強度が不足する。一方、丁番継手構造の場合、両パネルが屈曲した状態から直線状態に引き伸ばす際に、丁番が取付けられているパネル端面に指を挟まれる危険性がある。
【特許文献１】実開昭５１−９６９３８号に係る「移動黒板」
【発明の開示】
【発明が解決しようとする課題】
【０００７】
このように、従来のパネル連結構造には上記のごとき問題がある。本発明が解決しようとする課題はこの問題点であり、簡易的な間仕切り装置である衝立を対象とし、簡単に衝立を組立て出来ると共に自由な向きに衝立パネルを設置することが出来、しかも、いつでも簡単にその向きを変えることが可能なように構成した衝立パネルの縦桟を提供する。
【課題を解決するための手段】
【０００８】
本発明が対象とする衝立はその構造が簡単でパネルの向きを自由に変更可能とするように構成している。そこで、衝立パネルは長方形のパネル板の両側には縦桟が設けられ、上下には上桟と下桟を有し、パネル板の側端部は縦桟に全長に亘って形成している嵌合溝に嵌っている。ここで、縦桟はその外側面を滑らかな曲面とした長尺材で、外側面にはパネル板が嵌る嵌合溝を有し、該嵌合溝の反対側には連結部材が嵌る連結溝を全長に亘って設けている。
【０００９】
衝立は隣り合う衝立パネルを連結部材によって連結し、該連結部材は概略Ｉ型断面（又は概略Ｈ形断面）を成し、軟質樹脂製の湾曲部とその両端に形成している硬質樹脂製の嵌合部で構成している。勿論、連結部材としては必ずしも軟質樹脂製の湾曲部を設けなくては成らないものではなく、全てを硬質樹脂製とした連結部材で構成することも可能である。
【００１０】
ところで、縦桟に形成した連結溝に連結部材両端に形成している嵌合部を嵌めることで隣り合う両衝立パネルは連結される。ここで、パネル板の構造は自由であるが、例えば筆記を行うことが出来るホワイトボード、掲示することが出来るコルクボード、焼付塗装、転写印刷したスチール板、クロス貼りパネル板などが一般的に使用される。
【００１１】
そして、縦桟の上端にはキャップが冠着され、縦桟下端にはキャスターが取付けられて移動可能としている。さらに、該キャスターにはレバーが取付けられていて、このレバーを押下げることでキャスターをロックすることが出来、衝立パネルは所定の場所で静止する。
【発明の効果】
【００１２】
本発明に係る衝立パネルの縦桟は、外側面に嵌合溝を有していることで、この嵌合溝にパネル板の側端が嵌められる。そして該嵌合溝の反対側には連結溝が設けられ、衝立パネルは該連結溝に連結部材先端に形成している嵌合部を嵌めることで隣り合う両衝立パネルを簡単に連結することができる。ここで、上記連結部材の両嵌合部間に軟質樹脂で構成した湾曲部を設けるならば、連結部材は湾曲変形する為に衝立パネルの向きを自由に変更することが可能と成る。
【００１３】
そして縦桟の下端にキャスターが取付けられ、衝立パネルの向きの変更が簡単にしかも迅速に行うことが出来る。勿論、衝立パネル自体を別の場所へ移動することも容易である。ところで、パネル板は側端部を縦桟の嵌合溝に嵌め、パネル板の上下に設けた上桟と下桟を両縦桟に連結するだけで、衝立パネルを簡単に組立てることが出来る。こうして組立てた衝立パネルは連結部材の嵌合部を連結溝に嵌めるだけで連結が簡単に行われる。
【００１４】
そして、両衝立パネルはほぼ同じ高さの連結部材によって連結されることで、部分的に連結される従来の丁番連結構造に比べて連結強度は高くて安定する。さらに、衝立パネルの縦桟は外側面が滑らかな曲面をしていることで持ち易く、衝立パネルを旋回して折畳み状態とする場合、縦桟によって手の指が挟まれることもない。
【図面の簡単な説明】
【００１５】
【図１】３枚の衝立パネルを連結した衝立の外観図。
【図２】キャスターを下端に取付けた衝立パネルの実施例。
【図３】縦桟とパネル板が分離した状態の横断面図。
【図４】両衝立パネルが直線状に連結している場合の横断面図。
【図５】連結部材の具体例。
【図６】連結部材が湾曲して衝立パネルの方向が変わる場合。
【図７】従来のパネル連結構造。
【発明を実施するための形態】
【００１６】
図１は衝立を示す実施例であり、該衝立は３枚の衝立パネル１ａ，１ｂ，１ｃから成っている。衝立パネル１ａ，１ｂ，１ｃは枠体２にパネル板３を嵌めて構成され、枠体２は上桟４、下桟５、及び両縦桟６，６を枠組みした構造と成っている。上桟４、下桟５、及び両縦桟６，６には嵌合溝が全長にわたって形成され、パネル板３の縁（上下端、及び側端）は上記嵌合溝に嵌って衝立パネル１を構成している。
【００１７】
そして、衝立パネル１ａの下端一方側には両面から外方向へ延びる脚８ａを設けて両先端にキャスター７ａ，７ａを取付け、下端の他方側には１個のキャスター７ａを取付けている。同じく、衝立パネル１ｃの下端一方側には両面から外方向へ延びる脚８ｃを設けて両先端にキャスター７ｃ，７ｃを取付け、下端の他方側には１個のキャスター７ｃを取付けている。
【００１８】
又、衝立パネル１ｂの下端両側には両面側から外方向へ延びる脚８ｂ，８ｂを有し、該脚８ｂ，８ｂの先端にはキャスター７ｂ，７ｂ・・・を取付けている。従って、３枚の衝立パネル１ａ，１ｂ，１ｃにて構成している間仕切り装置である衝立は転倒することなく安定して起立することが出来、又各キャスター７ａ，７ｂ，７ｃ・・・を転がすことで別の場所へ簡単に移動出来る。ただし、キャスター７ａ，７ｂ，７ｃの取付け形態は同図に示す場合に限定しない。
【００１９】
ところで、上記衝立パネル１ａ，１ｂ，１ｃは連結部材によって繋がれていて、各衝立パネル１ａ，１ｂ，１ｃの向きを自由に変えることが出来るように構成している。図２は衝立パネル１を単独で表している具体例である。長方形のパネル板３は枠体２に嵌って衝立パネル１を構成し、両縦桟６，６の内側に嵌合溝９，９を形成し、この嵌合溝９，９にパネル板３の両側端部が嵌り、又上桟４に形成した嵌合溝にはパネル板３の上端部が嵌合し、そして下桟５に形成した嵌合溝にはパネル板３の下端部が嵌合している。
【００２０】
そして、上桟４、下桟５、及び両縦桟６，６はＬ形金具１０，１０・・・によって枠組みされている。すなわち、水平片１７は上桟４又は下桟５にネジ止めされ、縦片１８は縦桟６にネジ止めされている。ここで、縦桟６に形成した嵌合溝９の底にネジ頭が突出しないように、嵌合溝底にはネジ頭が嵌る小さい溝を設けている。又、Ｌ形金具１０のコーナー部が露出しないように、縦桟６の上端には上キャップ１１が嵌着されている。そして、縦桟６の下端には下キャップ１２が取着され、この下キャップ１２に上記キャスター７が取付けられている。
【００２１】
図３は縦桟６とパネル板３を分離した状態で示した横断面図である。縦桟６は同図に断面を示しているように、概略円形断面の長尺材であり、外側面の一部には嵌合溝９が全長に亘って形成され、この嵌合溝９の底にはネジ頭が嵌る小さい溝２０が全長に亘って設けられている。そして、この嵌合溝９にはパネル板３の側端部が嵌る。又、該嵌合溝９の反対側には比較的小さい連結溝１６が全長に亘って設けられているが、該連結溝１６は嵌合溝９とは違い、溝幅の一部が開口している。
【００２２】
図４はパネル板３が縦桟６の嵌合溝９に嵌って構成した衝立パネル１ａ，１ｂを連結部材１３に連結している状態を示す横断面図である。このように、縦桟６，６、上桟４、及び下桟５にて枠組みした枠体２にパネル板３を嵌めた衝立パネル１ａ，１ｂは連結部材１３を介して簡単に連結される。すなわち、両衝立パネル１ａ，１ｂの縦桟６，６に形成している連結溝１６，１６に連結部材１３の嵌合部１５，１５を嵌めることで簡単に連結できる。
【００２３】
図５はパネル１ａ，１ｂを連結する為の連結部材１３を示す横断面である。該連結部材１３はその断面形状をＩ形（又は概略Ｈ形）とした長尺材であり、斜線部の軟質樹脂からなる湾曲部１４と両側端には硬質樹脂からなる嵌合部１５，１５を有している。そこで、上記連結部材１３の嵌合部１５，１５は隣り合う衝立パネル１ａ，１ｂの縦桟６，６の外側に形成している連結溝１６，１６に嵌入される。同図に示す連結部材１３は、嵌合部１５の一部も軟質樹脂と成っているが、その為に、上記嵌合部１５が連結溝１６に嵌入する際に軟質樹脂が変形して隙間なく嵌入することが出来る。
【００２４】
そして、該連結溝１６は湾曲部１４が嵌る大きさの入口開口２１を有しており、嵌合部１５が連結溝１６に嵌合して抜けないように取着される。連結部材１３の嵌合部１５は上キャップ１１を外した状態で縦桟６の上方から連結溝１６に嵌入することが出来、衝立パネル１ａ，１ｂは連結部材１３によって互いに連結される。
【００２５】
ところで、衝立パネル１ａ、１ｂが直線状に配列する場合には、上記湾曲部１４はストレートであるが、衝立パネル１ａと衝立パネル１ｂの向きが異なる場合には湾曲部１４は所定の曲率にて湾曲変形する。図６は衝立パネル１ａに対して直線状態にある衝立パネル１ｂが約９０°旋回して衝立パネル１ｂが垂直方向を向くならば、該湾曲部１４は滑らかに湾曲変形することが出来る。
【００２６】
同図に示す縦桟６の断面は円形としている。従って、衝立パネル１ｂを９０°旋回した場合に衝立パネル１ａの縦桟６との間の隙間１９は小さくなるが、円形断面の縦桟６とすることで、正方形断面の縦桟又は長方形断面の縦桟６とする場合に比較して該隙間１９は大きく、指詰めを防止することが出来る。又、連結前の衝立パネル１を持ち上げる場合、縦桟６が滑らかな円形断面であることで持ち易く成っている。
【００２７】
ところで、本発明の連結部材１３は軟質樹脂で構成する湾曲部１４と縦桟６の連結溝１６に嵌る嵌合部１５を一体成形した長尺材であるが、該嵌合部１５の形態は限定しない。連結溝１６に嵌った嵌合部１５は外れることなく衝立パネル１ａ，１ｂ、１ｃを連結し、しかも各衝立パネル１ａ，１ｂ，１ｃの向きを変えることが出来る。
【００２８】
ただし、本発明に係る縦桟６は隣りの衝立パネル１を連結することが出来る形態としているが、連結することなく単一の衝立パネル１だけで使用する場合もある。この場合、他の衝立パネル１を連結する為に連結部材１３の嵌合部１５が嵌るように縦桟６に形成している連結溝１６の入口開口２１は狭く、縦桟６の外観が損なわれることはない。
【００２９】
一方、本発明に係る縦桟６はパネル板３の側端部が嵌る嵌合溝９と反対側には連結部材１３の嵌合部１５が嵌る連結溝１６を全長にわたって形成した長尺材であり、衝立パネル１ａ，１ｂ，１ｃを連結する連結部材１３の具体的な構造を限定することはしない。従って、連結部材１３に軟質樹脂からなる湾曲部１４を設けない場合もあり、両嵌合部１５，１５を繋ぐために硬質樹脂で構成した連結部とすることも可能である。そこで、該連結部を直線状としたり、Ｌ形としたり、又はＴ形とすることで衝立パネル１ａ，１ｂ，１ｃの配列形態が定まる。
【符号の説明】
【００３０】
１  衝立パネル
２  枠体
３  パネル板
４  上桟
５  下桟
６  縦桟
７  キャスター
８  脚
９  嵌合溝
10  Ｌ形金具
11  上キャップ
12  下キャップ
13  連結部材
14  湾曲部
15  嵌合部
16  連結溝
17  水平片
18  縦片
19  隙間
20  溝
21  入口開口
【図１】
2011106223.tif 000003
【図２】
2011106223.tif 000004
【図３】
2011106223.tif 000005
【図４】
2011106223.tif 000006
【図５】
2011106223.tif 000007
【図６】
2011106223.tif 000008
【図７】
2011106223.tif 000009